(57)【要約】      （修正有）【課題】簡素で安価な構造で、脚裏に対する刺激がソフトで履き心地よい自然換気される健康的な構成を提案する。【解決手段】上板１と下板２とを対向させたエンドレスの偏平形状のため、薄型となり、靴などの底に挿入する場合に適している。しかも、爪先に対応する先端３と踵に対応する後端４との間に、前記上板１が沈降して変形するのを抑制する支持部５を設けてあるので、前記支持部５より前側の上板１を踏んだりして荷重を掛けると沈降変位して、その際に空気の移動で風を発生して隙間などを通過して脚裏に送風され、円滑に換気される。前記支持部５より後側の上板１を踏んだりし沈降変形させ場合も風を発生して換気される。【選択図】図１
2018011752.tif 000002
【特許請求の範囲】
【請求項１】
上板と下板とが対向するように金属板でエンドレスに一体形成した板バネの構成又は前記板バネの内周が向かい合って備えていることを特徴とする履物の復旧構造。
【請求項２】
上板と下板とが対向するように金属板でエンドレスに一体形成した板バネの構成又は前記板バネの内周が向かい合って備えており、又は爪先に対応する先端と踵に対応する後端との間に、前記上板が沈降して変形するのを抑制する支持部を設けてあることを特徴とする履物の復旧構造。
【請求項３】
前記支持部は、前記上板と下板とを前記上板の位置で重ねた構造若しくは結合するか又は更に前記の支持部の下板の下に剛体若しくは弾性体の支持手段を設けたことを特徴とする請求項１又は請求項２に記載の履物の用復旧構造。
【請求項４】
前記上板や下板、／又は上板か、下板のどちらかに、通気と軽量化を兼ねた孔及び／又は横幅を狭めたり／又は欠除部を兼ね備えたことを特徴とする請求項１又は請求項２に記載の履物の復旧構造。
【請求項５】
上板と下板とが対向するように金属板でエンドレスに一体形成してあり、しかも爪先に対応する先端と踵に対応する後端との間に、前記上板が沈降し変形するのを抑制する支持部を設けると共に、復元力に抗して上板を踏むと下側に撓んで容積を縮小させ、次に足を上げると、復元力で前記容積が大きくなり、歩行や走る際の上下動により空気が攪拌されて移動し、換気効果も得られることを特徴とする履物の復旧方法。
【請求項６】
前記の上板と下板との間の空間に除湿材及び／又は保温剤及び／又は保冷剤及び／又は活性炭及び／又は芳香剤を挿入することを特徴とする請求項５に記載の履物の復旧方法。
【発明の詳細な説明】
【技術分野】
【０００１】
本発明は、靴等の履物に装着した状態で履く履物用復旧構造に関する。
【０００２】
特許文献１のように、換気量を安定させることができ、靴本体部内の換気を十分に行うために、靴本体部３１と、通気部を備えたソール３２と、ポンプ装置４３を備えたヒール３３とを有し、通気部は、空気を吸引してポンプ装置４３に供給するための第１の通気路、ポンプ装置４３内の空気を排出するための第２の通気路を備え、ポンプ装置４３は、第１の層構造体、第２の層構造体、伸縮自在に配設された第３の層構造体、及び第３の層構造体の伸縮に伴って作動させられ、ポンプ室６０に空気を吸引し、ポンプ室６０の空気を排出する弁ユニット５８を備え、弁ユニット５８は、第２の層構造体のストローク量を設定し、装着者の体重の大きさによってストローク量が変化することのない構造を提案した。
【特許文献１】特開2013-212348
【発明の概要】
【発明が解決しようとする課題】
【０００３】
ところが、特許文献１のような発想では、ポンプ装置や弁ユニットを要するので、構成が複雑化し、高価な靴となる。
【０００４】
本発明の技術的課題は、このような問題に着目し、極めて簡素で安価な構成で実現でき、かつ脚裏に対する刺激がソフトで履き心地よい自然と換気される健康的な構成を提案する。
【課題を解決するための手段】
【０００５】
本発明の技術的課題は次のような手段によって解決される。請求項１は、上板と下板とが対向するように板バネの金属板でエンドレスに一体形成した板バネの構成又は前記板バネの内周が向かい合って備えていることを特徴とする履物の復旧構造である。
【０００６】
請求項２は、上板と下板とが対向するように金属板でエンドレスに一体形成した板バネの構造又は前記板バネの内周が向かい合って備えており、又は爪先に対応する先端と踵に対応する後端との間に、前記上板が沈降し変形するのを抑制する支持部を設けてあることを特徴とする履物の復旧構造である。
【０００７】
請求項３は、前記支持部は、前記上板と下板とを重ねて載置若しくは結合するか又は更に前記の支持部の上板の位置や下板の位置に剛体若しくは弾性体の支持手段を設けたことを特徴とする請求項１又は請求項２に記載の履物の用復旧構造。
【０００８】
請求項４は、前記上板や下板、／又は上板か、下板のどちらかに、通気と軽量化を兼ねた孔及び／又は横幅を狭めたり／又は欠除部を兼ね備えたことを特徴とする請求項１に記載の履物の構造である。
【０００９】
請求項５は、上板と下板とが対向するように金属板でエンドレスに一体形成してあり、しかも爪先に対応する先端と踵に対応する後端との間に、前記上板が沈降し変形するのを抑制する支持部を設けると共に、二重板バネの復元力で上板と下板間の容積が安定しているが、復元力に抗して上板を踏むと下側に撓んで前記容積を縮小させ、次に復元力に従って踏み込んだ足を上げる。このようにして歩行や走る単純な上下動により空気が攪拌されて移動し、換気効果も得られることを特徴とする履物用の復旧爽快方法である。
【００１０】
請求項６は、前記の上板と下板との間の空間や第 2の空間に除湿材及び／又は保温剤及び／又は保冷剤及び／又は活性済／又は芳香剤を挿入することを特徴とする請求項４に記載の履物の復旧方法である。
【発明の効果】
【００１１】
請求項１のように、上板と下板とが対向するように金属板でエンドレスに一体形成した板バネとした。その結果、扁平状のため靴底として挿入可能である。
【００１２】
請求項２のように、爪先に対応する先端と踵に対応する後端との間に、前記上板が沈降して変形するのを抑制する支持部を設けてあるので、前記支持部より前側の上板を踏んだりして荷重を掛けると沈降変位して、その際に空気の移動で風を発生して隙間などを通過して脚裏に送風する。前記支持部より後側の上板を踏んだりして荷重を掛けると沈降変形して、その際に空気の移動で風を発生して隙間や通気孔などを通過して脚裏に送風する。その際に、前記支持部より前側の上板がその復元力で復帰上昇するので、その際にも空気の移動で風が発生し、隙間などを経由して脚裏に送風する。また、前記板バネを背中合わせにした部分も支持部として機能する。従って、前記動作の繰り返しで、走ったり歩行する際に爽快となる。前記支持部は、前記上板と下板とを重ねて載置し若しくは結合したので、上板を踏んだりして荷重を掛けた場合に、板バネがエンドレスに一体形成されているために板バネ全長が弾性変形するので、効果的に弾性が作用する。
【００１３】
請求項３のようにまた、前記の支持部の上板の位置や下板の位置に剛体若しくは弾性体の支持手段を設けたので、板バネ全長の弾性は規制されても支持手段との隙間の分を変位するだけの弾性や支持手段の弾力を期待できる。
【００１４】
請求項４のように、前記上板や下板、／又は上板か、下板のどちらかに、通気と軽量化を兼ねた孔及び／又は横幅を狭めたり、／又は欠除部を備えてあるので、隙間が十分に無くても、前記の換気が確実に行われる。
尚履物の内部（中に入れて）用いる場合、下板の横幅よりも上板の横幅を若干狭めたり、欠除部を設けると上板の（板バネ）の上下動による、履物の中の、内壁のスレ、切れ等を防ぐとともに又改善される。
【００１５】
請求項５のように、上板と下板とが対向するように金属板でエンドレスに一体形成した板バネを有し、しかも爪先に対応する先端と踵に対応する後端との間に、前記上板が沈降し変形するのを抑制する支持部を設けると共に、前記板バネの復元力で上板と下板間の容積が大きくなり、復元力に抗して上板を踏むと下側に撓ん縮小し、このような上下動により、履物に適用して走ったり走行すると、連続的に復旧運動の繰り返しになるので履物内で空気が一箇所に留らないので爽快となる。
【００１６】
請求項６のように、前記の上板と下板との間の空間や第 2の空間に除湿材及び／又は保温剤及び／又は保冷剤及び／又芳香剤を挿入しておくと、汗などで不潔になりがちな履物中を保温剤で保温したり、保冷剤で保冷したり、活性炭で清潔にしたり、また芳香剤で芳香を発したりでき、履物内が爽やかになる。又前記各種の効果剤等は併用する場合も考えられる。
【図面の簡単な説明】
【００１７】
【図１】本発明の基本構造を示す斜視図である。
【図２】図１の板バネから成る構造の右側面図である。
【図３】図１の板バネから成る構造の左側面図である。
【図４】板バネ中にＵ状板バネを挿入した右側面図である。
【図５】板バネ中にＵ状板バネを挿入した左側面図である。
【図６】板バネ中に楕円棒を挿入した側面図である。
【図７】板バネ中に中空楕円管を挿入した側面図である。
【図８】板バネから成る復旧構造の示す正面図である。
【図９】板バネから成る復旧構造の示す背面図である。
【図１０】ローラーを板バネの支持部に配置した左側面図である。
【図１１】ローラーを板バネの支持部に配置した右側面図である。
【図１２】２個の板バネを背中合わせにした例の断面図である。
【図１３】通気と軽量化を兼ねた切除部を備えた平面図である。
【図１４】通気穴とパッキン（詰め物）を設けた斜視図である。
【図１５】孔の位置で断面にした図である。
【図１６】図 1の平面図である。
【図１７】図14の平面図である。
【発明を実施するための形態】
【００１８】
次に本発明による履物の復旧構造が実際上どのように具体化されるか実施形態で説明する。図１は基本構造を示す斜視図であり、斜め上から見ている。尚図16で平面図は表現している。図２は左側面図である。図３は右側面図である。また図８は正面図、図９は背面図である。履物としては、靴に限定されないが、履物は図示を省略されている。本発明の復旧構造は板バネが基本になっており、すなわち、上板１と下板２とが対向するようにばね材などの金属板を溶接など融着や圧着等破損しにくい手法で図のようなエンドレスに環状に一体形成した板バネ構造に成っている。尚バネ性質を保持できる該当する素材で、適合するサイズの管や筒から加工形成することもできる。
【００１９】
しかも爪先に対応する先端３と踵に対応する後端４との間に、前記上板１が沈降して変形するのを抑制する支持部５を設けてある。この支持部５は、下板２のＵ状の頂端に上板１を載置し、又は両者を接合しただけであるから、上板１を踏んだりして荷重を掛けた場合に沈降変位するが、その際に板バネの全長に荷重が作用して弾性変形するので、全長で弾力を発する。補強としてＵ字に開いている底面を別途の金属板で水面状に又は足裏の土踏まずを考慮してカーブを描くような面状にして接合してもよい。
【００２０】
図４、図５は支持部の別の実施例で、Ｕ状に形成したバネ板６を上板１と下板２間に設けて、その弾力で上板１を支持している。図６はゴムのような弾力質の楕円棒又は丸棒７を、横にした表現になっているが、多角状に形成した合成ゴムを棒状に又棒状を短形にて区分配置しても上板１を支持できる。図７は中空状の弾力管８を前記Ｕ状バネ板６に代えて配置した例である。図６、図７は楕円体７、８であるのに対し、図10、図11はローラー９で上板１を支持した例であるが、弾性材でもよい。なお、下部は多少浮いた空間１０になっている。
【００２１】
図12は板バネＳをＵ字状に曲げられた個所で２個を背中合わせにして備えており、その背中合わせ部分に蝶番状に連結して折れ曲る様にすると一段と足に的合する。又前記の背中合わせの部分は、上板１が下板２側に沈降するのを抑制するので、支持部５として利用できる。尚、空間Ａの下板２側に緩衝用の合成ゴム板やゴム板１２を配置した例、又前述や後述の履物用復旧構造にも応用する。尚、合成ゴム等には溝や凸凹を設けると、より効果が期待できる。
【００２２】
前記の上板１と下板２との間の空間Ａに第２空間Ａ-2を設けて除湿材及び／又は保温剤及び／又は保冷剤及び／又は活性炭及び／又は芳香剤などの爽快材Ｂを挿入しておくと、汗などで不潔になりがちな履物中を保温剤で保温したり、保冷剤で保冷したり、活性炭で清潔にしたり、また芳香剤で芳香を発したりでき、履物内が爽やかになる。尚Ａ−２の材質は、前記の上板１や下板２と同様に金属板で形成してよい。
なお、第２の空間Ａ−２の上に前記の緩衝用のゴム板１２を配置してもよい。              
【００２３】
本発明の板バネを履物の中に挿入すると、上板１と履物との間には必ず隙間ができるので、この隙間などを通過して履物の着用者の脚裏に送風される。例えば前記支持部５より後側の上板１を踏んだりして荷重を掛けると、沈降変形して、その際に空気の移動で風を発生して、隙間などを通過して、着用者の脚裏に送風される。その際に、前記支持部５より前側の上板１がその復元力で復帰上昇するので、その際にも空気の移動で風が発生し、隙間などを経由して着用者の脚裏に送風する。従って、前記動作の繰り返しで、走ったり歩行する際に爽快となる。
【００２４】
尚、前述や後述の履物用復旧構造体の上板と下板との外周縁を取巻く様に不繊布や各種素材の適した材料で幕状に外部と隔てるように形成することもできる。その場合通気性も考慮する。又幕を、金属や構成樹脂等で形成した網で、又はパンチング等で円状に、打ち抜き網状に形成等を用いてもよいが撓みに迎合して、しなう構造で幕状に形成することもできる。その場合上板と下板との中にチューブを入れて気体を注入することもできるが、又その場合チューブレスタイヤの原理の応用も出来るのでその場合、気圧を考慮した構造にする。又、この場合、エンドレスの形状を維持し枠状に形成するとより機能が高まるので前述や後述の各種支持部の構造を変えたり又支持部を省くこともある。尚、支持部 5の付近の上板と下板に渡すように、又は架けるように固定する、ベルト状の耐気圧構造を加える事もできる。合成ゴムのベルトでもできる。
【００２５】
図13は、上板１の平面図であり、先端３側と後端４側の左右両側に切除部１１を設けてあるので、前記の隙間が充分でないと思われる場合に設ける。また、図１４は、前記切除部１１に代えて板バネの上板１や下板２に通気穴１４…を開けてあり、軽量化も兼ねている。切除部１１との併設もできる。尚図17はその平面図である。
【００２６】
板バネの先端３や後端４と履物との間の空間を埋め、履物に装着した場合にズレや足の安定感を高める為に用いる。パッキン（詰め物）Ｐ１・Ｐ２を備えているが、その材質は、弾力の有る軟質の合成樹脂や合成ゴムなどが適している。が又、金属板で上板１や下板２の追加付属として加工もできる。その場合、前述の先端３と詰め物Ｐ１の接続部分をＵ字状に加工して、又その箇所を蝶番状に加工してもよいが、別途に蝶番を用意して取付けてもよい。この方法は図12の背中合わせの部分に用いることもできる、又支持用バネ板 6をこの様にして、繰り返し力や重力が加わる曲げ加工された箇所や付近に補強として前述のＵ状に形成した板バネ板６を上板１と下板２の間に追加配置することもできる。図１５は、パッキンＰ１・Ｐ２の別の実施例を示す断面図であり、前後方向の断面を示している。パッキンＰ１・Ｐ２と同じ材質のシートや別種のシート又色々な素材の塗装や塗布、接着等で毛や毛状又は繊維や網目状又は合成ゴム等を板バネと一体構成にすると、手触りや使用感が一段と向上する。で板バネを覆って２層構造にしている。又、上板１や下板２の追加構造として金属で加工してもできる。
【産業上の利用可能性】
【００２７】
この履物用復旧体は靴の中へ、収納用として使用する場合、上板と下板の間での靴の中での上下運動を考慮して、上板と下板の間隔は 2ｃｍ前後が理想である。以上のように、上板と下板とが対向するように金属板でエンドレスに一体形成した板バネから成り、爪先に対応する先端と踵に対応する後端との間に、前記上板が沈降して変形するのを抑制する支持部を設けてあるので、前記支持部以外の上板が荷重で沈降変形する際の空気の流れで風を発生し、隙間などを通過して脚裏に送風する。従って、前記動作の繰り返しで、走ったり歩行する際に換気されて爽快となる。又このバネ板の素材自体を重ね合わせ一枚のバネ板にしてエンドレスに形成もできる。尚この履物用復旧体は、反発力を利用、履き物の外付用として使用する場合は、上板と下板の間隔は 4ｃｍ以上に形成すると、上板と下板の上下運動の幅が大きくなるのでより、高速歩行や運動用として期待できる。又前述の各種技術を適合する箇所で配置したり組み合わせたりして、よりよい完成を目指す。尚この履物用回復体を靴の中に入れて使用する場合、履物用回復体の高さを考慮して何ｃｍか履物の内部の高さを高くして、専用の履物を製造することもできる。
【符号の説明】
【００２８】
１  上板
２  下板
Ｓ  板バネ
３  先端
４  後端
５  支持部
６  支持部用のバネ板
７  楕円棒
８  楕円管
９  ローラー
10  空間
Ａ  空間
Ｂ  爽快材
12  ゴム板
11  切除部
14  通気穴
Ｐ１・Ｐ２  パッキン
【図１】
2018011752.tif 000003
【図２】
2018011752.tif 000004
【図３】
2018011752.tif 000005
【図４】
2018011752.tif 000006
【図５】
2018011752.tif 000007
【図６】
2018011752.tif 000008
【図７】
2018011752.tif 000009
【図８】
2018011752.tif 000010
【図９】
2018011752.tif 000011
【図１０】
2018011752.tif 000012
【図１１】
2018011752.tif 000013
【図１２】
2018011752.tif 000014
【図１３】
2018011752.tif 000015
【図１４】
2018011752.tif 000016
【図１５】
2018011752.tif 000017
【図１６】
2018011752.tif 000018
【図１７】
2018011752.tif 000019